(57)【要約】【課題】本発明は、規定張力となる迄の時間を短縮させ、印刷運転の始動時に発生していた損紙を大幅に減少させることにより、資材経費の節減と生産性の向上を図ることが可能な輪転印刷機の運転方法を提供することにある。【解決手段】本発明では、印刷時のウェブ流れ方向の上流側から下流側に向かって順に、給紙部１、インフィード部２、印刷部３、及び折機部６が配置され、インフィード部２はインフィードローラ１２とバランスウェイトローラ１５で構成された輪転印刷機の運転方法において、印刷開始前にインフィードローラ１２を印刷時のウェブ流れ方向とは逆方向に回転させると共に、印刷部３の下流側を印刷時のウェブ流れ方向と同じ方向に駆動させ、ウェブ８の初期張力が所定値に達した後印刷を開始させている。【選択図】図１
2006182031.tif 000002
【特許請求の範囲】
【請求項１】
印刷時のウェブ流れ方向の上流側から下流側に向かって順に、給紙部、インフィード部、印刷部、及び折機部が配置され、前記インフィード部はインフィードローラとバランスローラで構成された輪転印刷機の運転方法において、印刷開始前に前記インフィードローラを印刷時のウェブ流れ方向とは逆方向に回転させると共に、前記印刷部の下流側を印刷時のウェブ流れ方向と同じ方向に駆動させ、前記ウェブの初期張力が所定値に達した後印刷を開始させることを特徴とする輪転印刷機の運転方法。
【発明の詳細な説明】
【技術分野】
【０００１】
本発明は、印刷運転の停止から再始動するに当たって、ウェブに初期張力を付加する輪転印刷機の運転方法に関するものである。
【背景技術】
【０００２】
図４は従来の一般的な商業用オフセット輪転印刷機のウェブ張力制御装置の要部を説明する概略構成図、図５は上記ウェブ張力制御装置における不具合点を説明する概略構成図である。
一般的な商業用オフセット輪転印刷機は、図４及び図５に示す如く、給紙部１、インフィード部２、印刷部３、冷却部４、ウェブパス部５、折機部６及びそれらを適宜にコントロールする制御部７などをその要部として構成されている。
【０００３】
給紙部１は、ロール状巻取紙２２が装着されるリールスタンド１８を備えており、印刷稼働の途上で新、旧巻取紙を互いに接続して連続的にウェブ８を給送すべく機能している。また、インフィード部２は、前記巻取紙２２から連続的にウェブ８を引き出す部分であり、下流側へウェブテンション（ウェブ張力）を適宜にコントロールする手段としてバランスウェイトローラ１５、支点軸１６、バランスウェイトローラアーム１７及びエアシリンダ２１を具備している。そして、ウェブ８を挟持して回転移送するインフィードローラ１２は、印刷機全体を連動させる主駆動軸１９と無段変速機２３を介して連結され、この主駆動軸１９からの回転駆動力が伝達されるようになっている。
【０００４】
印刷部３には、通常インキ色の異なる複数組の印刷装置２４ａ〜２４ｄがウェブ走行方向に沿って並設されており、この印刷部３では、ウェブ８を各印刷装置２４ａ〜２４ｄへ順次通紙させることによって多色印刷ができるようになっている。そして、印刷部３において印刷を終えたウェブ８は、次工程の乾燥部（図示せず）で加熱乾燥された後、冷却部４にて冷却されウェブパス部５へ移送され、折機部６において裁断され折られる。
折機部６におけるウェブ８は、三角板（フォーミング）２５を経て縦に二つ折りされた後、リードインローラ２６（２６ａ，２６ｂ）、第１ニッピングローラ９（９ａ，９ｂ）及び第２ニッピングローラ２７（２７ａ，２７ｂ）を順次経由し所定の位置で裁断されると共に、折り畳まれて目的とする折帖に形成され、その後、外部へ搬出されるようになっている。
【０００５】
次に、従来のウェブ張力制御装置及び制御方法について説明する。
輪転印刷機では、現行オーダーの印刷が終了すると機械を停止して洗浄し、版胴に巻着した印刷の交換や、その他次オーダーに対する前準備が行われることになる。この場合、ブランケット胴や折機部６のニッピングローラ９ａ，９ｂ，２７ａ，２７ｂ等の係合（挟持）を解放するため、ウェブ８が走行するウェブパスラインがフリーになる。したがって、通紙したウェブ８に作用する張力がなくなり、ウェブ８の途中が弛緩した状態（図５中のＷ）となってしまう。
このような状態から印刷を再開させた場合には、印刷位置が天地方向においてずれたり、或いは折機部６におけるウェブ８の裁断や折り畳みに際して加工位置のずれが長期間続くといった不具合が発生する。
【発明の開示】
【発明が解決しようとする課題】
【０００６】
そこで、上述した従来の装置では、オーダーチェンジ等に伴う再印刷の開始に当たって、先ず折機部６の第１及び第２ニッピングローラ９，２７のそれぞれを係合させてウェブ８を通常通り下流へ移送すると共に、インフィード部２の無段変速機２３を低速に設定し、給送量を減少させている。つまり、上記ウェブ８の下流側と上流側の走行速度差によってウェブ８の張力を徐々に増大させていき、規定張力になった段階で正規の印刷を行うことが可能になる。
したがって、上記ウェブ張力が規定の張力となる迄に多くの時間が掛かり、また、その間に走行する（消費される）ウェブ８がすべて損紙となってしまう。このため、従来の装置では、生産性が低下するばかりでなく、資材（巻取紙）の損失が大きくなり、生産コスト高を招来するという問題があった。
【０００７】
本発明はこのような実状に鑑みてなされたものであって、その目的は、規定張力となる迄の時間を短縮させ、印刷運転の始動時に発生していた損紙を大幅に減少させることにより、資材経費の節減と生産性の向上を図ることが可能な輪転印刷機の運転方法を提供することにある。
【課題を解決するための手段】
【０００８】
上記従来技術の有する課題を解決するために、本発明においては、印刷時のウェブ流れ方向の上流側から下流側に向かって順に、給紙部、インフィード部、印刷部、及び折機部が配置され、前記インフィード部はインフィードローラとバランスローラで構成された輪転印刷機の運転方法において、印刷開始前に前記インフィードローラを印刷時のウェブ流れ方向とは逆方向に回転させると共に、前記印刷部の下流側を印刷時のウェブ流れ方向と同じ方向に駆動させ、前記ウェブの初期張力が所定値に達した後印刷を開始させている。
【発明の効果】
【０００９】
上述の如く、本発明に係る輪転印刷機の運転方法は、印刷時のウェブ流れ方向の上流側から下流側に向かって順に、給紙部、インフィード部、印刷部、及び折機部が配置され、前記インフィード部はインフィードローラとバランスローラで構成されたものにおいて、印刷開始前に前記インフィードローラを印刷時のウェブ流れ方向とは逆方向に回転させると共に、前記印刷部の下流側を印刷時のウェブ流れ方向と同じ方向に駆動させ、前記ウェブの初期張力が所定値に達した後印刷を開始させているので、初期印刷ずれ等の不具合を解消させることが可能となり、ウェブが規定張力となる迄の時間を短縮できると共に、印刷運転の始動時に発生していた損紙を大幅に減少させることができ、これにより印刷品質の向上、資材のコストダウン及び生産性の向上を図ることができる。
【発明を実施するための最良の形態】
【００１０】
以下、本発明を図示の実施の形態に基づいて詳細に説明する。ここで、図１は本発明の第１実施形態に係る商業用オフセット輪転印刷機に設備されるウェブ張力制御装置の全体概略構成図、図２は当該ウェブ張力制御装置の機能説明図である。
本発明の第１実施形態の商業用オフセット輪転印刷機は、図１に示す如く、印刷時のウェブ流れ方向の上流側から下流側に向かって順に配置される、給紙部１、インフィード部２、印刷部３、乾燥部３０、冷却部４、ウェブパス部５、折機部６及びそれらを適宜のタイミングでコントロールする制御部７などから構成されており、給紙部１から連続的に給送されるウェブ８上に所定の印刷を施し、その後、最終工程の折機部６において裁断すると共に、所定形状の折帖３１（図３参照）に形成し、外部へ搬出するようになっている。これら一連の構成、機能は前記従来技術の項において説明したものと同様である。ここで、印刷運転するという意味を区分けすると、下記の通りとなる。
（１）給紙部１から連続的にウェブを給送すること。
（２）印刷部３でインキを紙に転写すること。
（３）折機部６において紙を断裁し、所定形状の折帖３１に形成し、外部へ搬出すること。
（１）と（３）の間にウェブが連続している場合、（１）と（３）は同時に運転しないと折機内部で紙詰まりが発生する場合がある。これは、（１）により送られる紙が多いとき、機外に搬出しないと、折機内部に紙が溜まって詰まるからである。そのため、折機は必要に応じ、紙送り時に動かす場合がある。
【００１１】
本実施の形態の輪転印刷機では、上記構成に加えて、新たな機構としてウェブ張力制御装置が設備されている。このウェブ張力制御装置は、印刷部３の入口側に設けられ、印刷部３及び折機部６の駆動系から独立した駆動手段を有し、かつウェブテンション制御を行う機能を有するインフィード部２と、折機部６の上流側に設けられ、ウェブテンションを検出するウェブテンション検出部（検出器）３２と、印刷部３の出口側であって、折機部６の断裁装置（図示せず）より上流側に設けられ、印刷部３及び折機部６の駆動系から独立した駆動手段を有し、かつウェブ８を挟持しながらウェブテンション検出部３２からの検出信号に基づきウェブテンション制御を行う機能を有する折機張力付与部（折機張力付与装置）３３とをそれぞれ備えている。
【００１２】
上記インフィード部２には、印刷部３へ給送するウェブ８に張力を掛けるインフィードローラ１２が設けられており、該インフィードローラ１２は、印刷機本体（主機本体）の駆動系から切り離し、かつ独立的に駆動することが可能なモータ（駆動手段）１３を介して回転すべく構成されている。このインフィード部２のモータ１３は、正転と逆転を任意に切り替えできると共に、回転速度を自由に設定できる機能を有する型式のものである。
また、上記折機張力付与部３３には、ウェブ８を挟持する一対のプリテンションローラ１１（１１ａ，１１ｂ）が配設されている。これらプリテンションローラ１１ａ，１１ｂは、折機部６に設備した一対の第１ニッピングローラ９ａ，９ｂに近接するウェブパスラインの下流側に位置し、印刷部３及び折機部６の駆動に対して独立的に、かつ任意の回転速度で駆動することが可能なモータ（駆動手段）１０を介して回転するよう構成されている。
さらに、上記ウェブテンション検出部３２は、折機部６の上流側に設けられ、該折機部６に至る直前のウェブテンションを計測するテンションピックアップ装置１４を備えている。
【００１３】
なお、図において、１５は印刷部３へ搬送するウェブ８の張力を適宜にコントロールするバランスウェイトローラであり、該バランスウェイトローラ１５は、バランスウェイトローラアーム１７の一端に回動自在に取付けられている。そして、このバランスウェイトローラアーム１７の他端は、支点軸１６に揺動自在に支持されていると共に、その中央部にはエアシリンダ２１の作動ロッドが連結されている。すなわち、バランスウェイトローラ１５は、インフィードローラ１２を介して送り込まれるウェブ８の供給量を制御し、支点軸１６を中心として揺動するバランスウェイトローラアーム１７をエアシリンダ２１で水平位置に維持させることにより、目的とするウェブ８の張力が規定されるようになっている。
【００１４】
本実施の形態のウェブ張力制御装置のウェブテンション制御方法は、オーダーチェンジ、或いはその他の理由で輪転印刷機の印刷運転を停止させた後、印刷運転を再開する場合には次の如く操作手順で行われる。
図２に示す如く、先ず印刷機の印刷運転を停止させた状態で一対の第１ニッピングローラ９ａ，９ｂの係合を解放すると共に、プリンテンションローラ１１ａ，１１ｂを接近させてウェブ８を挟持する。続いて、これらプリテンションローラ１１ａ，１１ｂを駆動し、上記ウェブ８を挟持しながら下記のインフィードローラ１２と逆方向に正転させて回転移送することにより該ウェブ８を搬送方向下流側へ引張し、初期張力を付加する。
なお、ウェブ８の張力は、テンションピックアップ装置１４により検知され、制御部７を介してプリテンションローラ１１の駆動用モータ１０へフィードバックされ、コントロールされることになる。
一方、上流側のインフィード部２に設備したインフィードローラ１２を停止状態から給紙部１側に一旦反転させ、ウェブ８をリールスタンド１８側へ引き戻すことによって、該ウェブ８に張力（バックテンション）を付加する。ウェブ８の張力はバランスウェイトローラ１５によって、つまりバランスウェイトローラ１５を軸着させたアーム１７を水平状態に維持することにより所定の張力がコントロールされるようになっており、同状態でインフィードローラ１２の駆動用モータ１３を停止させる。
【００１５】
本発明の第１実施形態に係るウェブ張力制御装置は、前記した如く、インフィードローラ１２を駆動するモータ１３と、プリテンションローラ１１を駆動するモータ１０とによって輪転印刷機を稼働させる以前に通紙したウェブ８に所定の張力を設定しておくことが可能なように構成されており、上記初期張力を設定した後、印刷機の印刷運転が開始することになる。
なお、折機部６の第１ニッピングローラ９及びプリテンションローラ１１は、それぞれ上記印刷機械始動時に接触しており、つまりウェブ８を挟持した状態で駆動され、所定の回転数迄昇速させられた後、一対のプリテンションローラ１１ａ，１１ｂは解放される。そして、輪転印刷機は加速し始めた早い時期に印刷を開始する。
一方、上記インフィードローラ１２は、印刷機始動後モータ１３を従来機と同様に制御し、給送するウェブ８へ常に所定の張力が掛かるようコントロールしている。
【００１６】
このように本実施形態の輪転印刷機の運転方法は、以上の如き手順を有するものであり、印刷運転を開始する前準備として予めウェブ８へ規定値に相当する張力を付加させておくことができる。したがって、機械立上がり時の直後から規定張力をもってウェブ８を走行させることが可能であり、初期印刷ずれ等の不具合がなくなると共に、折機部６における裁断位置や折り畳み位置を正確に合致させることができ、従来の印刷機において正規運転状態に至る迄の間に発生していた損紙を大幅に減少させることができるようになった。また、これに関連して資材経費の節減と生産性の向上を図ることができる等、種々の効果を得ることができるようになった。
【００１７】
図３は本発明の第２実施形態に係る商業用オフセット輪転印刷機に設備されるウェブ張力制御装置の要部説明図である。
本実施の形態に係るウェブ張力制御装置の折機張力付与部４３には、図３に示す如く、折機部６に設備した第１ニッピングローラ９に替えて折機張力付与機構４４が設けられている。この折機張力付与機構４４は、一対のフォーミングローラ４９（４９ａ，４９ｂ）と、該フォーミングローラ４９ａ，４９ｂの回転駆動系を印刷機に設備した各ユニットの連動用主駆動軸１９（図４及び図５参照）から切り離し、独立的かつ任意の回転速度で駆動できるモータ２０とを備えており、フォーミングローラ４９ａ，４９ｂはモータ２０を介して回転するよう構成されている。その他の給紙部１、インフィード部２、印刷部３、冷却部４及びウェブパス部５等の構成及び機能は前記第１実施形態と同様である。
【００１８】
本実施の形態に係るウェブ張力制御装置を用いたウェブ張力制御方法は、上記の如き手順を有しているので、オーダーチェンジ、或いはその他の理由で輪転印刷機の印刷運転を停止させた後、印刷運転を再開する場合には、次の如き操作手順で行われる。
先ず、印刷機の印刷運転を停止させた状態において、フォーミングローラ４９ａ，４９ｂを接近させてウェブ８を挟持させ、しかる後、該フォーミングローラ４９ａ，４９ｂを駆動し、上記ウェブ８を挟持しながら下記のインフィードローラ１２と逆方向に正転させて回転移送することにより該ウェブ８を搬送方向下流側へ引張し、初期張力を付加する。
なお、ウェブ８の張力は、テンションピックアップ装置１４により検知され、制御部７を介してフォーミングローラ４９の駆動用モータ２０へフィードバックされ、コントロールされることになる。
一方、上流側のインフィード部２に設備したインフィードローラ１２を、第１実施形態と同様に一旦反転させ、ウェブ８をリールスタンド１８側へ引き戻すことによって、該ウェブ８にバックテンションを付加する。
【００１９】
このウェブ８の張力は、バランスウェイトローラ１５を軸着させたバランスウェイトローラアーム１７を水平状態で維持することにより規定値にコントロールされるようになっている。つまり、印刷機の停止時におけるウェブ８のたるみによって図２中の一点鎖線の如く下降していた上記バランスウェイトローラアーム１７は、前記下流側へのウェブ走行速度と給紙速度の差によって発生する張力の上昇によって持ち上げられ、実線（水平位置）において規定の張力となり、同状態でモータ１３を停止させる。
なお、例示した本実施形態のウェブ張力調整装置は、エアシリンダ２１へ付加する空気圧を変更調整することによって任意の値に設定することができるよう構成されている。
【００２０】
本発明の第２実施形態に係るウェブ張力制御装置は、前記した如く、インフィードローラ１２を駆動するモータ１３と、フォーミングローラ４９を駆動するモータ２０とによって輪転印刷機を稼働させる以前に通紙したウェブ８に予め所定の張力を設定すべく構成されており、上記初期張力の設定後において印刷機の印刷運転が開始されることになる。
なお、インフィードローラ１２及びフォーミングローラ４９は、印刷機が始動してもテンション制御するので、印刷機の運転速度に対応する、つまり連動した回転速度に制御される。
【００２１】
このように本実施形態の輪転印刷機の運転方法は、以上の如き手順を有するものであり、第１実施形態と同様、印刷運転を再開する前準備としてウェブ８へ規定値に相当する張力を付加させておくことができる。したがって、本実施形態の輪転印刷機の運転方法によれば、生産性の向上が図れると共に、始動時に発生していた損紙を大幅に減少させることができる等、前記第１実施形態と共通する種々の効果を得ることができるようになっている。
【００２２】
以上、本発明の実施の形態につき述べたが、本発明は既述の実施の形態に限定されるものではなく、本発明の要旨を逸脱しない範囲内において種々の変形及び変更を加え得るものである。
【図面の簡単な説明】
【００２３】
【図１】本発明の第１実施形態に係る商業用オフセット輪転印刷機に設備されるウェブ張力制御装置を示す全体概略構成図である。
【図２】上記ウェブ張力制御装置の機能を説明する概念図である。
【図３】本発明の第２実施形態に係る商業用オフセット輪転機に設備されるウェブ張力制御装置の要部を示す概念図である。
【図４】従来の一般的な商業用オフセット輪転機に設備されるウェブ張力制御装置の要部を示す概略構成図である。
【図５】図４におけるウェブ張力制御装置の不具合点を説明する概略構成図である。
【符号の説明】
【００２４】
１  給紙部
２  インフィード部
３  印刷部
４  冷却部
５  ウェブパス部
６  折機部
７  制御部
８  ウェブ
９  第１ニッピングローラ
１０  モータ
１１  プリテンションローラ
１２  インフィードローラ
１３  モータ
１４  テンションピックアップ装置
１５  バランスウェイトローラ
１６  支点軸
１７  バランスウェイトローラアーム
１８  リールスタンド
１９  主駆動軸
２０  モータ
２１  エアシリンダ
２２  巻取紙
２３  無段変換機
２４  印刷装置
２５  三角板
２６  リードインローラ
２７  第２ニッピングローラ
３０  乾燥部
３１  折帖
３２  ウェブテンション検出部
３３，４３  折機張力付与部
４４  折機張力付与機構
４９  フォーミングローラ
【図１】
2006182031.tif 000003
【図２】
2006182031.tif 000004
【図３】
2006182031.tif 000005
【図４】
2006182031.tif 000006
【図５】
2006182031.tif 000007